(57)【特許請求の範囲】
【請求項１】
筐体と、
前記筐体の内部に配置される画像形成部と、
前記画像形成部により画像が形成されたシート材を排出する排出部と、
前記排出部から排出された前記シート材が積層して配置される積載部であって、平面状に形成される平面部と、前記平面部から上方側に突出するように形成される凸部及び／又は前記平面部から下方側に窪むように形成される凹部と、を有して構成される前記シート材が積載される積載面部を有する積載部と、
前記積載面部に積載された前記シート材の上面に当接して配置される押さえ部材と、を備え、
前記積載部は、前記シート材が前記排出部から排出される方向である排出方向において前記積載面部に積載される前記シート材の先端と対向して配置される規制部であって、前記積載面部に積載される前記シート材における前記排出方向への移動を規制する規制部を有しており、
前記積載面部における前記凸部及び前記凹部がなかったときの平面である仮想平面の前記排出部側の端部から前記規制部までの前記排出方向の長さは、前記シート材における前記排出方向の長さ未満であり、
前記凸部及び／又は前記凹部を含む前記積載面部における前記排出部側の端部から前記規制部までの前記排出方向の表面に沿う長さは、前記シート材における前記排出方向の長さ以上である画像形成装置。
【請求項２】
前記押さえ部材は、前記凸部の近傍において前記積載面部に積載された前記シート材の上面に当接して配置される
請求項１に記載の画像形成装置。
【請求項３】
前記押さえ部材は、該押さえ部材が前記積載面部に積載された前記シート材の上面に当接しない状態に比べて、前記積載面部に積載された前記シート材を前記凸部に沿うように変形させた状態で、前記積載面部に積載された前記シート材の上面に当接して配置される請求項２に記載の画像形成装置。
【請求項４】
前記押さえ部材は、前記シート材が前記排出部から排出される方向である排出方向における前記凸部よりも下流側において、前記積載面部に積載された前記シート材の上面に当接して配置される
請求項２又は３に記載の画像形成装置。
【請求項５】
前記押さえ部材は、前記積載面部に積載された前記シート材における前記凹部に対応する部分の上面に当接して配置される
請求項１に記載の画像形成装置。
【請求項６】
前記押さえ部材における前記シート材の上面に当接する部分は、前記シート材の上面に当接して回転する回転部材により構成される
請求項１から５のいずれかに記載の画像形成装置。
【請求項７】
前記押さえ部材における前記シート材の上面に当接する部分は、摩擦係数が低い部材により構成される
請求項１から５のいずれかに記載の画像形成装置。
【請求項８】
前記積載面部は、前記積載部における垂直方向下部に配置されており、
前記積載部は、前記積載面部と垂直方向において対向して配置される上面部と、前記積載面部と前記上面部との間の積載空間部と、を更に有しており、
前記押さえ部材は、前記上面部に一端部が回動可能に取り付けられ、他端部が自由端として前記積載面部に積載された前記シート材の上面に当接して配置され、前記積載面部に積載されるように移動する前記シート材における移動を前記他端部が前記排出部と反対側に移動するように回動して許可して、前記移動が許可された前記シート材の上面に当接して前記移動が許可された前記シート材を変形させる
請求項１から７のいずれかに記載の画像形成装置。
【請求項９】
前記筐体の上部側に配置される画像読取部を更に備え、
前記上面部は、前記画像読取部の下部により構成される
請求項８に記載の画像形成装置。
【発明の詳細な説明】
【技術分野】
【０００１】
本発明は、コピー機、プリンター、ファクシミリ又はこれらの複合機などの画像形成装置に関する。
【背景技術】
【０００２】
従来より、シート材としての用紙に画像を形成（印刷）するための装置として、コピー機、プリンター、ファクシミリ又はこれらの複合機などの画像形成装置が知られている。これらの画像形成装置は、一般的に、排出された用紙が積載される積載面部を有する積載部を備えている。
積載面部に最大サイズの用紙を積載するためには、積載面部は、用紙が排出部から排出される排出方向において、最大長さの用紙を積載できる長さを必要とする。そのため、画像形成装置の装置全体が大きくなる要因となっていた。
【０００３】
これに対し、サイズの大きい用紙に対応して積載面部の面積を大きくすることができる画像形成装置が提案されている（例えば、特許文献１及び２参照）。特許文献１に記載の画像形成装置は、折り畳まれている補助トレイを回転させることで、積載面部の面積を大きくすることができる構成となっている。特許文献２に記載の画像形成装置は、サイズの大きい用紙が収容される給紙カセットが装置本体に装着された場合に、折り畳まれている補助トレイが給紙カセットの装着に連動して立ち上がることで、積載面部の面積を大きくすることができる構成となっている。
【先行技術文献】
【特許文献】
【０００４】
【特許文献１】実開平１−２４０６４号公報
【特許文献２】特開平７−１３３０５０号公報
【発明の概要】
【発明が解決しようとする課題】
【０００５】
しかし、特許文献１及び２に記載の画像形成装置は、サイズの大きい用紙を積載面部に積載する場合に、補助トレイを回転させたり立ち上がらせたりするため、装置の外方への占有面積（容積）が増加する。
従って、サイズの大きい用紙を積載面部に積載する場合において、装置の大型化を抑制することができる積載部を備える画形成装置が望まれている。
【０００６】
本発明は、装置の大型化を抑制することができる積載部を備える画像形成装置を提供することを目的とする。
【課題を解決するための手段】
【０００７】
本発明は、筐体と、前記筐体の内部に配置される画像形成部と、前記画像形成部により画像が形成されたシート材を排出する排出部と、前記排出部から排出された前記シート材が積層して配置される積載部であって、平面状に形成される平面部と、前記平面部から上方側に突出するように形成される凸部及び／又は前記平面部から下方側に窪むように形成される凹部と、を有して構成される前記シート材が積載される積載面部を有する積載部と、前記積載面部に積載された前記シート材の上面に当接して配置される押さえ部材と、を備える画像形成装置に関する。
【０００８】
また、前記積載部は、前記シート材が前記排出部から排出される方向である排出方向において前記積載面部に積載される前記シート材の先端と対向して配置される規制部であって、前記積載面部に積載される前記シート材における前記排出方向への移動を規制する規制部を有しており、前記積載面部における前記凸部及び前記凹部がなかったときの平面である仮想平面の前記排出部側の端部から前記規制部までの前記排出方向の長さは、前記シート材における前記排出方向の長さ未満であり、前記凸部及び／又は前記凹部を含む前記積載面部における前記排出部側の端部から前記規制部までの前記排出方向の表面に沿う長さは、前記シート材における前記排出方向の長さ以上であることが好ましい。
【０００９】
また、前記押さえ部材は、前記凸部の近傍において前記積載面部に積載された前記シート材の上面に当接して配置されることが好ましい。
【００１０】
また、前記押さえ部材は、該押さえ部材が前記積載面部に積載された前記シート材の上面に当接しない状態に比べて、前記積載面部に積載された前記シート材を前記凸部に沿うように変形させた状態で、前記積載面部に積載された前記シート材の上面に当接して配置されることが好ましい。
【００１１】
また、前記押さえ部材は、前記シート材が前記排出部から排出される方向である排出方向における前記凸部よりも下流側において、前記積載面部に積載された前記シート材の上面に当接して配置されることが好ましい。
【００１２】
また、前記押さえ部材は、前記積載面部に積載された前記シート材における前記凹部に対応する部分の上面に当接して配置されることが好ましい。
【００１３】
また、前記押さえ部材における前記シート材の上面に当接する部分は、前記シート材の上面に当接して回転する回転部材により構成されることが好ましい。
【００１４】
また、前記押さえ部材における前記シート材の上面に当接する部分は、摩擦係数が低い部材により構成されることが好ましい。
【００１５】
また、前記積載面部は、前記積載部における垂直方向下部に配置されており、前記積載部は、前記積載面部と垂直方向において対向して配置される上面部と、前記積載面部と前記上面部との間の積載空間部と、を更に有しており、前記押さえ部材は、前記上面部に一端部が回動可能に取り付けられ、他端部が自由端として前記積載面部に積載された前記シート材の上面に当接して配置され、前記積載面部に積載されるように移動する前記シート材における移動を前記他端部が前記排出部と反対側に移動するように回動して許可して、前記移動が許可された前記シート材の上面に当接して前記移動が許可された前記シート材を変形させることが好ましい。
【００１６】
また、前記筐体の上部側に配置される画像読取部を更に備え、前記上面部は、前記画像読取部の下部により構成されることが好ましい。
【発明の効果】
【００１７】
本発明によれば、装置の大型化を抑制することができる積載部を備える画像形成装置を提供することができる。
【図面の簡単な説明】
【００１８】
【図１】本発明の第１実施形態に係るコピー機１における各構成要素の配置を説明するための図である。
【図２】第１実施形態における内部側集積部５１０及び押さえ部材２００の周辺の構成を示す側面図である。
【図３】第１実施形態における積載面部５２０及び押さえ部材２００の構成を示す斜視図である。
【図４】第１実施形態における積載面部５２０の構成を示す斜視図である。
【図５】図２に示す押さえ部材２００を拡大した側面図である。
【図６Ａ】片面印刷の動作を説明する図であって、用紙Ｔが排出方向Ｄ１に搬送され始めた状態を示す図である。
【図６Ｂ】片面印刷の動作を説明する図であって、用紙Ｔが凸部５２２に沿うように搬送されている状態を示す図である。
【図６Ｃ】片面印刷の動作を説明する図であって、用紙Ｔが腰のある状態で押さえ部材２００に当接した状態を示す図である。
【図６Ｄ】片面印刷の動作を説明する図であって、用紙Ｔの先端が押さえ部材２００の先端部２０２側に移動された状態を示す図である。
【図６Ｅ】片面印刷の動作を説明する図であって、用紙Ｔが押さえ部材２００を回動させた状態を示す図である。
【図６Ｆ】片面印刷の動作を説明する図であって、用紙Ｔが押さえ部材２００の先端部２０２に当接した状態で排出方向Ｄ１に搬送されている状態を示す図である。
【図６Ｇ】片面印刷の動作を説明する図であって、片面印刷が完了した用紙Ｔが積載面部５２０に積載された状態を示す図である。
【図７】第２実施形態における押さえ部材２００Ａの構成を示す斜視図である。
【図８】第３実施形態における押さえ部材２００Ｂの構成を示す斜視図である。
【図９】第４実施形態における内部側集積部５１０Ａ及び押さえ部材２００Ａの周辺の構成を示す側面図である。
【図１０】第４実施形態における積載面部５２０Ａの構成を用紙Ｔが積載された状態で示す斜視図である。
【図１１】第４実施形態における積載面部５２０Ａの構成を用紙Ｔが積載されていない状態で示す斜視図である。
【発明を実施するための形態】
【００１９】
以下、図面を参照して、本発明の画像形成装置としてのコピー機１の第１実施形態を説明する。
図１は、本発明の第１実施形態に係るコピー機１における各構成要素の配置を説明するための図である。
【００２０】
図１に示すように、本発明の第１実施形態としてのコピー機１は、本体装置Ｍと、本体装置Ｍの上部に組みつけられた画像読取装置３００と、本体装置Ｍに取り付けられる中継ユニット５００と、本体装置Ｍに取り付けられる後処理装置６００とを備える。
ここで、図１に示すように、中継ユニット５００及び後処理装置６００は、オプションとして本体装置Ｍに取り付けられる。
【００２１】
画像読取装置３００は、コピー機１における垂直方向Ｚの上端部に配置される。画像読取装置３００は、原稿の画像を読み取ると共に、読み取った画像に関する情報である画像情報を本体装置Ｍ（画像形成部）に出力する。
【００２２】
本体装置Ｍは、画像読取装置３００から送られる画像情報に基づいてシート材としての用紙Ｔにトナー画像を形成する。シート材とは、画像が形成されるシート状の被画像形成材である。シート材には、用紙等の被転写材が含まれる。
【００２３】
なお、コピー機１の説明において、図１に示す副走査方向Ｘをコピー機１の「左右方向」ともいい、副走査方向Ｘに直交する主走査方向Ｙ（図２参照）をコピー機１の「前後方向」ともいう。コピー機１の垂直方向Ｚは、副走査方向Ｘ及び主走査方向Ｙと直交する。
【００２４】
まず、画像読取装置３００について説明する。
図１に示すように、画像読取装置３００は、原稿Ｇの画像を読み取る画像読取部３０１と、画像読取部３０１の上方側に配置され画像読取部３０１に原稿Ｇを搬送する原稿搬送部７０と、を備える。
【００２５】
原稿搬送部７０は、画像読取部３０１に対して不図示の連結部により開閉可能に連結されている。原稿搬送部７０は、上方側に原稿載置部７１を有し、内部に送りローラー（図示せず）を有する。
【００２６】
次に、図１により、本体装置Ｍの各部について説明する。
本体装置Ｍは、画像読取装置３００から送られる画像情報に基づいてシート材としての用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
本体装置Ｍにおける外形は、筐体としてのケース部材ＢＤにより構成される。
【００２７】
図１に示すように、画像形成部ＧＫは、ケース部材ＢＤの内部に配置される。画像形成部ＧＫは、像担持体（感光体）としての感光体ドラム２ａ、２ｂ、２ｃ、２ｄと、帯電部１０ａ、１０ｂ、１０ｃ、１０ｄと、露光ユニットとしてのレーザースキャナーユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラー３７ａ、３７ｂ、３７ｃ、３７ｄと、２次転写ローラー８と、対向ローラー１８と、定着部９と、を備える。
【００２８】
給排紙部ＫＨは、給紙カセット５２と、手差し給紙部６４と、用紙Ｔの搬送路Ｌと、レジストローラー対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、第４搬送路Ｌ４との集合体である。
【００２９】
以下、図１により、画像形成部ＧＫ及び給排紙部ＫＨの各構成について、詳細に説明する。
まず、画像形成部ＧＫについて説明する。
画像形成部ＧＫにおいては、感光体ドラム２ａ、２ｂ、２ｃ、２ｄそれぞれの表面に沿って順に、上流側から下流側に順に、帯電部１０ａ、１０ｂ、１０ｃ、１０ｄによる帯電、レーザースキャナーユニット４ａ、４ｂ、４ｃ、４ｄによる露光、現像器１６ａ、１６ｂ、１６ｃ、１６ｄによる現像、中間転写ベルト７及び１次転写ローラー３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部ＧＫにおいては、中間転写ベルト７、２次転写ローラー８及び対向ローラー１８による２次転写、並びに定着部９による定着が行われる。
【００３０】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる回転軸を中心に矢印の方向に回転可能に配置される。感光体ドラム２ａ、２ｂ、２ｃ、２ｄそれぞれにおける表面には、静電潜像が形成され得る。
【００３１】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３２】
レーザースキャナーユニット４ａ、４ｂ、４ｃ、４ｄは、露光ユニットとして機能するものであり、感光体ドラム２ａ、２ｂ、２ｃ、２ｄそれぞれの表面から離間して配置される。レーザースキャナーユニット４ａ、４ｂ、４ｃ、４ｄそれぞれは、不図示のレーザ光源、ポリゴンミラー、ポリゴンミラー駆動用モーター等を有して構成される。
【００３３】
レーザースキャナーユニット４ａ、４ｂ、４ｃ、４ｄそれぞれは、画像読取部３０１により読み込まれた画像に関する画像情報に基づいて感光体ドラム２ａ、２ｂ、２ｃ、２ｄそれぞれの表面を走査露光する。レーザースキャナーユニット４ａ、４ｂ、４ｃ、４ｄそれぞれにより走査露光されることで、感光体ドラム２ａ、２ｂ、２ｃ、２ｄそれぞれの表面の露光された部分の電荷が除去される。これにより、感光体ドラム２ａ、２ｂ、２ｃ、２ｄそれぞれの表面に静電潜像が形成される。
【００３４】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄそれぞれの表面に形成された静電潜像に各色のトナーを付着させて、カラーのトナー画像を感光体ドラム２ａ、２ｂ、２ｃ、２ｄそれぞれの表面に形成する。現像器１６ａ、１６ｂ、１６ｃ、１６ｄそれぞれは、イエロー、シアン、マゼンタ、ブラックの４つの色に対応する。現像器１６ａ、１６ｂ、１６ｃ、１６ｄそれぞれは、感光体ドラム２ａ、２ｂ、２ｃ、２ｄの表面に対向配置された現像ローラー、トナー攪拌用の攪拌ローラー等を有して構成される。
【００３５】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３６】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。トナー供給部６ａ、６ｂ、６ｃ、６ｄそれぞれと現像器１６ａ、１６ｂ、１６ｃ、１６ｄそれぞれとは、不図示のトナー供給路により結ばれている。
【００３７】
中間転写ベルト７には、感光体ドラム２ａ、２ｂ、２ｃ、２ｄに形成された各色のトナー画像が順次１次転写される。中間転写ベルト７は、従動ローラー３５、駆動ローラーからなる対向ローラー１８、テンションローラー３６等に掛け渡される。テンションローラー３６が中間転写ベルト７を内側から外側に付勢するため、中間転写ベルト７には所定の張力が与えられる。
【００３８】
中間転写ベルト７を挟んで感光体ドラム２ａ、２ｂ、２ｃ、２ｄと反対の側には、１次転写ローラー３７ａ、３７ｂ、３７ｃ、３７ｄそれぞれが対向して配置される。
【００３９】
中間転写ベルト７における所定部分は、１次転写ローラー３７ａ、３７ｂ、３７ｃ、３７ｄそれぞれと、感光体ドラム２ａ、２ｂ、２ｃ、２ｄそれぞれとにより挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラー３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色のトナー画像が中間転写ベルト７に順次１次転写される。これにより、中間転写ベルト７には、フルカラーのトナー画像が形成される。
【００４０】
１次転写ローラー３７ａ、３７ｂ、３７ｃ、３７ｄそれぞれには、不図示の１次転写バイアス印加部により、感光体ドラム２ａ、２ｂ、２ｃ、２ｄそれぞれに形成された各色のトナー画像を中間転写ベルト７に転写させるための１次転写バイアスが印加される。
【００４１】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４２】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナー等を所定の回収機構へ搬送して、回収させる。
【００４３】
２次転写ローラー８は、中間転写ベルト７に１次転写されたフルカラーのトナー画像を用紙Ｔに２次転写させる。２次転写ローラー８には、不図示の２次転写バイアス印加部により、中間転写ベルト７に形成されたフルカラーのトナー画像を用紙Ｔに転写させるための２次転写バイアスが印加される。
【００４４】
２次転写ローラー８は、中間転写ベルト７に対して当接したり離間したりする。具体的には、２次転写ローラー８は、中間転写ベルト７に当接される当接位置と中間転写ベルト７から離間する離間位置とに移動可能に構成される。詳細には、２次転写ローラー８は、中間転写ベルト７の表面に１次転写されたフルカラーのトナー画像を用紙Ｔに２次転写させる場合には当接位置に配置され、他の場合には離間位置に配置される。
【００４５】
中間転写ベルト７における２次転写ローラー８とは反対側には、対向ローラー１８が配置される。中間転写ベルト７における所定部分は、２次転写ローラー８と対向ローラー１８とによって挟み込まれる。そして、用紙Ｔは中間転写ベルト７の外面（トナー画像が１次転写された面）に押し当てられる。中間転写ベルト７と２次転写ローラー８との間で２次転写ニップＮ２が形成される。２次転写ニップＮ２において、中間転写ベルト７に１次転写されたフルカラーのトナー画像が用紙Ｔに２次転写される。
【００４６】
定着部９は、用紙Ｔに２次転写されたトナー画像を構成する各色のトナーを溶融及び加圧して、用紙Ｔに定着させる。定着部９は、ヒーターにより加熱される加熱回転体９ａと、加熱回転体９ａに圧接される加圧回転体９ｂと、を備える。加熱回転体９ａと加圧回転体９ｂとは、トナー画像が２次転写された用紙Ｔを挟み込んで加圧すると共に、搬送する。加熱回転体９ａと加圧回転体９ｂとの間に挟まれた状態で用紙Ｔが搬送されることによって、用紙Ｔに転写されたトナーは、溶融及び加圧されることで用紙Ｔに定着される。
【００４７】
次に、給排紙部ＫＨについて説明する。
図１に示すように、本体装置Ｍの下部には、用紙Ｔを収容する収容部として、２個の給紙カセット５２が上下に配列されて配置される。給紙カセット５２は、本体装置Ｍの筐体であるケース部材ＢＤに、水平方向前方に挿脱可能に、取り付けられる。即ち、給紙カセット５２は、用紙Ｔを収容すると共に、ケース部材ＢＤに挿脱可能に取り付けられる収容部である。
【００４８】
給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において右側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラー対６３とからなる重送防止機構を備える。
【００４９】
本体装置Ｍの右側面（図１において右側）には、手差し給紙部６４が設けられる。手差し給紙部６４は、給紙カセット５２にセットされる用紙Ｔとは異なる大きさや種類の用紙Ｔを本体装置Ｍに供給することを主目的として設けられる。手差し給紙部６４は、閉状態において本体装置Ｍの右側面の一部を構成する手差しトレイ６５と、給紙コロ６６とを備える。手差しトレイ６５は、その下端が給紙コロ６６の近傍の本体装置Ｍに回動自在（開閉自在）に取り付けられる。開状態の手差しトレイ６５には、用紙Ｔが載置される。給紙コロ６６は、開状態の手差しトレイ６５に載置された用紙Ｔを手差し搬送路Ｌａに給紙する。
【００５０】
本体装置Ｍにおける上方側で、画像読取部３０１の下方となる位置には、排出部としての第１排紙部５０ａ及び第２排紙部５０ｂが設けられる。第１排紙部５０ａ及び第２排紙部５０ｂは、画像形成部ＧＫにより画像が形成された用紙Ｔを、本体装置Ｍの外部に排紙する。第１排紙部５０ａ及び第２排紙部５０ｂの詳細については後述する。
【００５１】
用紙Ｔを搬送する搬送路Ｌは、カセット給紙部５１から２次転写ニップＮ２までの第１搬送路Ｌ１と、２次転写ニップＮ２から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第４搬送路Ｌ４とを備える。
【００５２】
第３搬送路Ｌ３は、画像形成部ＧＫから後述する第１排紙部５０ａへ向けて用紙Ｔを搬送する搬送路である。戻り搬送路Ｌｂは、第３搬送路Ｌ３から分岐している。第４搬送路Ｌ４は、第３搬送路Ｌ３で搬送されている途中の用紙Ｔを、第２排紙部５０ｂに搬送する搬送路である。
【００５３】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、第４搬送路Ｌ４が第３搬送路Ｌ３から分岐する分岐部である。第１分岐部Ｑ１には、分岐部材５８が設けられている。分岐部材５８は、定着部９から搬出された用紙Ｔの搬送方向を、第１排紙部５０ａに向かう第３搬送路Ｌ３又は第２排紙部５０ｂに向かう第４搬送路Ｌ４に分岐させる（切り換える）。
【００５４】
第１搬送路Ｌ１の途中（詳細には、第２合流部Ｐ２と２次転写ローラー８との間）には、用紙Ｔを検出するためのセンサーと、用紙Ｔのスキュー（斜め給紙）補正や画像形成部ＧＫにおけるトナー画像の形成と用紙Ｔの搬送のタイミングを合わせるためのレジストローラー対８０とが配置される。センサーは、用紙Ｔの搬送方向におけるレジストローラー対８０の直前（搬送方向における上流側）に配置される。レジストローラー対８０は、センサーからの検出信号情報に基づいて上述の補正やタイミング調整をして用紙Ｔを搬送する一対のローラーである。
【００５５】
戻り搬送路Ｌｂは、用紙Ｔに両面印刷を行う際に、既に印刷されている面とは反対面（未印刷面）を中間転写ベルト７に対向させるために設けられる搬送路である。戻り搬送路Ｌｂによれば、第１分岐部Ｑ１から第１排紙部５０ａ又は第２排紙部５０ｂ側に搬送された用紙Ｔを表裏反転させて第１搬送路Ｌ１に戻して、２次転写ローラー８の上流側に配置されたレジストローラー対８０の上流側に搬送させることができる。戻り搬送路Ｌｂは、第１分岐部Ｑ１から第１排紙部５０ａに搬送された用紙Ｔについては、第１排紙部５０ａに設けられた排出反転ローラー対５５（後述）により表裏が反転された用紙Ｔを、画像形成部ＧＫへ向けて搬送する。戻り搬送路Ｌｂにより表裏反転された用紙Ｔには、２次転写ニップＮ２において未印刷面に対して所定のトナー画像が転写される。
【００５６】
第３搬送路Ｌ３における端部には、排出部としての第１排紙部５０ａが形成される。第１排紙部５０ａは、後処理を必要としない用紙Ｔを、本体装置Ｍの外部に排紙する。図１に示すように、この第１排紙部５０ａは、本体装置Ｍにおける上方側で画像読取部３０１の下方となる位置に配置される。また、第１排紙部５０ａは、本体装置Ｍの左側面側（図１において左側）に向けて開口し、且つ、本体装置Ｍの右側面側に寄った位置に配置されている。第１排紙部５０ａにおける開口側には、後述する積載空間部５４０が形成される。
【００５７】
第１排紙部５０ａには、排出反転ローラー対５５が設けられている。排出反転ローラー対５５は、第３搬送路Ｌ３を搬送された用紙Ｔを第１排紙部５０ａから後述する積載空間部５４０へ全部を排出する機能と、第３搬送路Ｌ３を搬送された用紙Ｔを第１排紙部５０ａから後述する積載空間部５４０へ一部繰り出した後に用紙Ｔの表裏を反転させる（スイッチバックさせる）反転部としての機能とを併せて有するローラー対である。排出反転ローラー対５５が反転部としての機能を発揮する場合、排出反転ローラー対５５を「スイッチバックローラー対」ともいう。
【００５８】
図１に示すように、画像読取部３０１の下方には、積載部としての内部側集積部５１０が配置される。内部側集積部５１０には、第１排紙部５０ａから排出された用紙Ｔが積層して配置される。内部側集積部５１０の積載空間部５４０（後述）には、押さえ部材２００が配置される。押さえ部材２００は、積載面部５２０に積載された用紙Ｔの上面に当接して配置される。
内部側集積部５１０及び押さえ部材２００の詳細については後述する。
【００５９】
第４搬送路Ｌ４における端部（搬送方向下流側）には、第２排紙部５０ｂが形成される。第２排紙部５０ｂは、第１排紙部５０ａの下方側において、本体装置Ｍの左側面側（図１において左側）に向けて開口して形成される。第２排紙部５０ｂは、第４搬送路Ｌ４に搬送される用紙Ｔを、後述の中継ユニット５００を介して後処理装置６００に送り出す後処理用排出部（又は中継ユニット用排出部）である。
なお、各搬送路の所定位置には用紙検出用のセンサーが配置される。
【００６０】
第２排紙部５０ｂの開口側には、中継ユニット５００が連続して配置（本体装置Ｍに連結）される。中継ユニット５００は、画像読取部３０１の下方であって積載空間部５４０に接した状態で装着して配置されている。中継ユニット５００の上面は、第１排紙部５０ａから排出された用紙Ｔが積載される積載面部５２０として構成される。そして、この中継ユニット５００には、後処理装置６００が連続して配置（本体装置Ｍに連結）される。
【００６１】
後処理装置６００は、本体装置Ｍの第２排紙部５０ｂから排出されて中継ユニット５００の内部搬送路５５１を介して搬送された用紙の後処理（ステープル、パンチ、ソート等）を行うものである。後処理装置６００は、本体装置Ｍの左側面４４１に着脱可能に取り付けられる。後処理装置６００は、排紙トレイ６６０を有する。排紙トレイ６６０は、後処理ユニット側排出部（不図示）から排出される用紙Ｔを集積させる排紙トレイである。
【００６２】
ここで、本実施形態のコピー機１は、後処理を必要としない場合、画像形成部ＧＫにおける画像形成が完了した用紙Ｔの排紙先（搬送ルート）を次の２通りに設定できる。
コピー機１は、用紙Ｔを、第４搬送路Ｌ４から中継ユニット５００内を通過させて、後処理装置６００に送るが、後処理装置６００は後処理をせずに排紙トレイ６６０に排紙するように設定可能である。
また、コピー機１は、用紙Ｔを、第４搬送路Ｌ４には送らず、第３搬送路Ｌ３の端部の第１排紙部５０ａから内部側集積部５１０に排紙するように設定可能である。第１排紙部５０ａから内部側集積部５１０に排紙された用紙Ｔは、中継ユニット５００の上面である積載面部５２０に集積し、本体装置Ｍの前面側から取り出される。
【００６３】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、本体装置Ｍの右側面側（図１において右側）には、主搬送路Ｌ１〜Ｌ３及び戻り搬送路Ｌｂが主に垂直方向に延びるように並列している。本体装置Ｍの右側面側（図１において右側）には、本体装置Ｍの側面の一部を形成するように、カバー体４０が設けられている。カバー体４０は、その下端部において、支点軸４３を介して本体装置Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６４】
カバー体４０は、支点軸４３によって本体装置Ｍに回動自在に連結された第１のカバー部４１と、同じ支点軸４３によって本体装置Ｍに回動自在に連結された第２のカバー部４２とから構成されている。第１のカバー部４１は、第２のカバー部４２よりも本体装置Ｍの外側（側面側）に位置する。なお、図１において、右下がりの破線でハッチングされた部分が第１のカバー部４１であり、左下がりの破線でハッチングされた部分が第２のカバー部４２である。
【００６５】
カバー体４０が閉位置に位置する状態において、第１のカバー部４１は、その外面側が本体装置Ｍの外面（側面）の一部を形成している。
また、カバー体４０が閉位置に位置する状態において、第２のカバー部４２は、その内面側（本体装置Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６６】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を本体装置Ｍ側（図１において左側）に回動させて戻り搬送路Ｌｂを開放することにより、戻り搬送路Ｌｂに詰まった用紙を処理することができる。
【００６７】
次に、図２から図５により、本発明の特徴部分である内部側集積部５１０及び押さえ部材２００に関連する構成の詳細について説明する。図２は、第１実施形態における内部側集積部５１０及び押さえ部材２００の周辺の構成を示す側面図である。図３は、第１実施形態における積載面部５２０及び押さえ部材２００の構成を示す斜視図である。図４は、第１実施形態における積載面部５２０の構成を示す斜視図である。図５は、図２に示す押さえ部材２００を拡大した側面図である。
【００６８】
本実施形態においては、排出反転ローラー対５５により用紙Ｔが第１排紙部５０ａから内部側集積部５１０に向けて排出される方向を「排出方向Ｄ１」という。「排出方向Ｄ１」は、副走査方向Ｘにおける第１排紙部５０ａから内部側集積部５１０へ向かう方向とほぼ一致する。また、排出方向Ｄ１と反対方向であって、積載空間部５４０へ一部繰り出された用紙Ｔが排出反転ローラー対５５により内部側集積部５１０から第１排紙部５０ａに向かうように戻される方向を「戻し方向Ｄ２」という。「戻し方向Ｄ２」は、副走査方向Ｘにおける内部側集積部５１０から第１排紙部５０ａへ向かう方向とほぼ一致する。また、排出方向Ｄ１及び戻し方向Ｄ２に直交する方向で且つ積載面部５２０に積載される用紙Ｔに沿う方向を「用紙幅方向Ｗ」という。「用紙幅方向Ｗ」は、主走査方向Ｙとほぼ一致する。
【００６９】
図２及び図３に示すように、内部側集積部５１０は、積載面部５２０と、上面部としての積載天面部５３０と、積載空間部５４０と、規制部としての規制壁５５０とを有する。
積載面部５２０は、内部側集積部５１０における垂直方向Ｚの下部に配置されている。積載面部５２０には、第１排紙部５０ａから排出された所定のトナー画像が形成された用紙Ｔが積載される。積載面部５２０は、中継ユニット５００の上面により構成されている。
【００７０】
積載面部５２０は、図２及び図４に示すように、平面部５２１と、複数の凸部５２２とを有して構成される。
平面部５２１は、水平面状に形成される。複数の凸部５２２は、平面部５２１から垂直方向Ｚの上方側に突出するように形成される。複数の凸部５２２は、用紙幅方向Ｗに視た場合において、頂部を有する山のような形状に形成される。
【００７１】
複数の凸部５２２は、３つの第１凸部５２３と、３つの第２凸部５２４と、１つの第３凸部５２５とにより構成されている。３つの第１凸部５２３と、３つの第２凸部５２４とは、同程度の高さを有している。また、１つの第３凸部５２５は、３つの第１凸部５２３及び３つの第２凸部５２４よりも低い高さを有している。
【００７２】
３つの第１凸部５２３は、用紙幅方向Ｗに視た場合において、略同一形状である。３つの第１凸部５２３は、積載面部５２０の排出方向Ｄ１の中央よりも上流側において、用紙幅方向Ｗに離間して並んで配置される。３つの第１凸部５２３とは、積載面部５２０の用紙幅方向Ｗの中央に形成される１つの第１凸部５２３と、用紙幅方向Ｗの中央の第１凸部５２３を挟んで用紙幅方向Ｗの両側に離間して形成される２つの第１凸部５２３である。
【００７３】
３つの第１凸部５２３それぞれは、排出方向Ｄ１の上流側に形成される第１上り傾斜面５２３Ａと、排出方向Ｄ１の下流側に形成される第１下り傾斜面５２３Ｂとを有する。
第１上り傾斜面５２３Ａは、排出方向Ｄ１の上流側から下流側に向かうにしたがって上方に向かうように傾斜する傾斜面である。第１上り傾斜面５２３Ａの平面部５２１に対する角度は、用紙Ｔが排出方向Ｄ１に排出された場合に、用紙Ｔの排出方向Ｄ１の搬送を妨げないような角度に設定される。
【００７４】
第１下り傾斜面５２３Ｂは、第１凸部５２３の頂部近傍において、第１上り傾斜面５２３Ａと滑らかな曲面でつながっている。第１下り傾斜面５２３Ｂは、排出方向Ｄ１の上流側から下流側に向かうにしたがって下方に向かうように傾斜する傾斜面である。第１下り傾斜面５２３Ｂの平面部５２１に対する角度は、第１上り傾斜面５２３Ａの傾斜角度よりも大きくなっている。
【００７５】
また、３つの第２凸部５２４は、用紙幅方向Ｗに視た場合において、略同一形状である。３つの第２凸部５２４は、積載面部５２０の排出方向Ｄ１の下流側の端部近傍において、用紙幅方向Ｗに並んで配置される。３つの第２凸部５２４とは、積載面部５２０の用紙幅方向Ｗの一方の端部側に形成される第２凸部５２４と、第２凸部５２４から所定距離ごとに順に用紙幅方向Ｗに離間して配置される２つの第２凸部５２４とである。
【００７６】
３つの第２凸部５２４それぞれは、排出方向Ｄ１の上流側に形成される第２上り傾斜面５２４Ａと、排出方向Ｄ１の下流側に形成される第２下り傾斜面５２４Ｂとを有する。
第２上り傾斜面５２４Ａは、排出方向Ｄ１の上流側から下流側に向かうにしたがって上方に向かうように傾斜する傾斜面である。第２上り傾斜面５２４Ａの平面部５２１に対する角度は、用紙Ｔが排出方向Ｄ１に排出された場合に、用紙Ｔの搬送を妨げないような角度に設定される。
【００７７】
第２下り傾斜面５２４Ｂは、第２凸部５２４の頂部近傍において、第２上り傾斜面５２４Ａとつながっている。第２下り傾斜面５２４Ｂは、上流側から下流側に向かうにしたがって下方に向かうように傾斜する傾斜面である。第２下り傾斜面５２４Ｂの平面部５２１に対する角度は、第２上り傾斜面５２４Ａの傾斜角度よりも大きくなっている。第２下り傾斜面５２４Ｂは、後述する規制壁５５０の近傍に位置しており、規制壁５５０に対向している。
【００７８】
１つの第３凸部５２５は、積載面部５２０の排出方向Ｄ１の下流側の端部よりも上流側に配置される。１つの第３凸部５２５は、積載面部５２０の用紙幅方向Ｗの他方の端部寄りに配置される。第３凸部５２５は、排出方向Ｄ１の上流側に形成される第３上り傾斜面５２５Ａと、排出方向Ｄ１の下流側に形成される第３下り傾斜面５２５Ｂとを有する。
【００７９】
規制壁５５０は、積載面部５２０に積載される用紙Ｔにおける排出方向Ｄ１への移動を規制する。規制壁５５０は、図２に示すように積載面部５２０の排出方向Ｄ１の下流側（図１における本体装置Ｍの左側）の外縁近傍から垂直方向Ｚの上方に延びるように形成される。規制壁５５０は、用紙Ｔの排出方向Ｄ１において、積載面部５２０に積載される用紙Ｔの先端と対向して配置される。これにより、規制壁５５０は、第１排紙部５０ａから排出される用紙Ｔの先端の位置を規制して、用紙Ｔの排出方向Ｄ１の下流側への移動を規制する。
【００８０】
また、積載面部５２０は、最大サイズの用紙Ｔが積載可能な表面積を有している。
ここで、積載面部５２０における複数の凸部５２２（第１凸部５２３、第２凸部５２４及び第３凸部５２５）がなかったときの平面である仮想平面を設定する。本実施形態においては、積載面部５２０における仮想平面の第１排紙部５０ａ側の端部から規制壁５５０までの排出方向Ｄ１の長さは、最大サイズの用紙Ｔにおける排出方向Ｄ１の長さ未満である。そのため、仮想平面に平行な状態で最大サイズの用紙Ｔを積載面部５２０に積載する場合には、最大サイズの用紙Ｔを積載面部５２０に積載することができない。
【００８１】
また、複数の凸部５２２を含む積載面部５２０における第１排紙部５０ａ側の端部から規制壁５５０までの排出方向Ｄ１の表面に沿う長さは、最大サイズの用紙Ｔにおける排出方向Ｄ１の長さ以上である。このように構成されることにより、積載面部５２０は、仮想平面（積載面部５２０における複数の凸部５２２がなかったときの平面）よりも排出方向Ｄ１に長い最大サイズの用紙Ｔを積載することができる。
【００８２】
例えば、最大サイズの用紙ＴがＡ３サイズの用紙Ｔの場合には、積載面部５２０における複数の凸部５２２を含めた用紙Ｔの排出方向Ｄ１の表面の長さは、Ａ３サイズの用紙の長辺の長さ以上に設定され、積載面部５２０の用紙Ｔの用紙幅方向Ｗの表面の長さは、Ａ３サイズの用紙の短辺の長さ以上に設定される。なお、本実施形態においては、Ａ３サイズの用紙Ｔにおける長辺が排出方向Ｄ１に平行な状態で排出される用紙Ｔを、「Ａ３サイズ縦の用紙Ｔ」ともいう。
【００８３】
積載天面部５３０は、積載面部５２０から垂直方向Ｚの上方に所定距離だけ離間した位置において、積載面部５２０と垂直方向Ｚにおいて対向して配置される。積載天面部５３０は、画像読取部３０１の下部の下面により構成されており、水平面状に形成されている。
【００８４】
積載空間部５４０は、積載面部５２０と積載天面部５３０との間の空間である。積載空間部５４０には、第１排紙部５０ａから排出される用紙Ｔが導入される。積載空間部５４０は、積載面部５２０に積載された用紙Ｔが配置される空間である。
【００８５】
また、積載空間部５４０は、本体装置Ｍの前面に開口する空間である。積載面部５２０に積載された用紙Ｔは、本体装置Ｍの前面開口から取り出すことができる。つまり、本実施形態におけるコピー機１は、画像読取部１６の下部において、本体装置Ｍの一部が窪むようにして積載空間部５４０が形成されている。そのため、本実施形態のコピー機１は、いわゆる胴内排紙型のコピー機と称されている。
【００８６】
積載空間部５４０には、図２に示すように、押さえ部材２００が配置される。
押さえ部材２００は、用紙幅方向Ｗに視た場合に、積載天面部５３０から積載面部５２０に向けて延びるような平面状の板状の部材を有して構成される。
【００８７】
押さえ部材２００の一端部である基端部２０１は、取り付け部材２１０を介して、画像読取部３０１の下面である積載天面部５３０に回動可能に取り付けられる。
押さえ部材２００の他端部である先端部２０２は、自由端として構成され、積載面部５２０に積載された用紙Ｔのうちの最上部の用紙Ｔの上面に当接して配置される。押さえ部材２００は、その自重により先端部２０２を用紙Ｔに当接させて、用紙Ｔに対して加重している。なお、以下の説明において、「積載面部５２０に積載された用紙Ｔのうちの最上部の用紙Ｔの上面」を「積載面部５２０に積載された用紙Ｔの最上面」ともいう。
【００８８】
押さえ部材２００は、基端部２０１と先端部２０２とをつなぐ平面が、積載面部５２０に積載された用紙Ｔの上面に対して、先端部２０２が基端部２０１よりも第１排紙部５０ａと反対側（排出方向Ｄ１の下流側）に位置するように傾いている。
【００８９】
押さえ部材２００は、図２及び図３に示すように、積載面部５２０における排出方向Ｄ１の中央近傍において、積載面部５２０に積載された用紙Ｔの上面に当接して配置される。
【００９０】
また、押さえ部材２００は、第１凸部５２３の近傍であって排出方向Ｄ１における第１凸部５２３よりも下流側において、積載面部５２０に積載された用紙Ｔの上面に当接して配置される。押さえ部材２００は、押さえ部材２００が積載面部５２０に積載された用紙Ｔの上面に当接しない状態に比べて、積載面部５２０に積載された用紙Ｔを第１凸部５２３に沿うように変形させた状態で、積載面部５２０に積載された用紙Ｔの上面に当接して配置される。なお、押さえ部材２００は、積載面部５２０に積載された用紙Ｔを、第１凸部５２３に完全に沿った状態に変形させなくてもよく、第１凸部５２３に沿うように変形させればよい。
【００９１】
また、押さえ部材２００は、図３に示すように、積載面部５２０における用紙幅方向Ｗの中央近傍において、積載面部５２０に載置された用紙Ｔの上面に当接するように配置される。
【００９２】
押さえ部材２００は、厚さ方向に視た場合に、略長方形の形状に形成される。押さえ部材２００の先端部２０２は、第１排紙部５０ａと反対側に屈曲している。押さえ部材２００の先端部２０２における用紙Ｔに当接される部分は、用紙幅方向Ｗに所定長さを有する平坦な面により構成されている。
【００９３】
このように構成される押さえ部材２００は、積載面部５２０に積載されるように移動する用紙Ｔにおける移動を先端部２０２が第１排紙部５０ａと反対側に移動するように回動して許可して、移動が許可された用紙Ｔの上面に当接して、移動が許可された用紙Ｔを第１凸部５２３に沿うように変形させる。
【００９４】
また、上記作用を実現するために、押さえ部材２００は、積載面部５２０に積載された用紙Ｔに対する角度や、積載面部５２０に積載された用紙Ｔに加重される重さ等が適宜設定される。
【００９５】
また、押さえ部材２００は、図５に示すように、回転軸部材２０３と、取り付け突起部２０５とを更に有している。
回転軸部材２０３は、後述する取り付け部材２１０の回転支持孔部２１３に挿通される。回転軸部材２０３は、押さえ部材２００の基端部２０１において用紙幅方向Ｗの外側の両側に突出するように形成されている。回転軸部材２０３の回転軸中心は、押さえ部材２００を回動させるための用紙幅方向Ｗに延びる回転軸の中心と一致する。
【００９６】
取り付け突起部２０５は、後述する取り付け部材２１０の退避用孔部２１４に係合可能に構成される。取り付け突起部２０５は、押さえ部材２００の基端部２０１と先端部２０２との間における基端部２０１寄りに、押さえ部材２００における用紙幅方向Ｗの端部の側面から用紙幅方向Ｗの外側に突出するように形成されている。
【００９７】
取り付け部材２１０は、押さえ部材２００を回動可能に支持する部材である。取り付け部材２１０は、図２に示すように、積載天面部５３０に取り付けられている。
取り付け部材２１０は、図５に示すように、取り付け板部２１１と、取り付け板部２１１の用紙幅方向Ｗの両端部近傍から垂直方向Ｚの下方側に向けて延びる一対の側板部２１２と、を有する。取り付け板部２１１は、積載天面部５３０に平行な板状の部材であり、積載天面部５３０に取り付けられる。一対の側板部２１２は、排出方向Ｄ１及び用紙幅方向Ｗに平行な板状の部材により形成されており、互いに対向して配置される。
取り付け部材２１０の一対の側板部２１２それぞれには、用紙幅方向Ｗに貫通する一対の回転支持孔部２１３及び一対の退避用孔部２１４が形成されている。
【００９８】
回転支持孔部２１３には、押さえ部材２００の回転軸部材２０３が挿通される。回転支持孔部２１３は、回転軸部材２０３が挿通されて、押さえ部材２００を回転可能に支持する。押さえ部材２００は、押さえ部材２００の回転軸部材２０３が回転支持孔部２１３に挿通されて配置されることで、その自重により、積載面部５２０に積載された用紙Ｔの上面に当接する。
【００９９】
退避用孔部２１４には、押さえ部材２００の取り付け突起部２０５が係合可能である。退避用孔部２１４は、押さえ部材２００が基端部２０１を中心に回動して積載天面部５３０に沿うように配置された状態で、取り付け突起部２０５が係合される位置に形成される。そして、退避用孔部２１４は、押さえ部材２００が回転軸部材２０３の回転軸を中心に回転して、画像読取部３０１の下面（積載天面）５３０に沿うように回転された場合に、押さえ部材２００の取り付け突起部２０５と係合する。
【０１００】
次に、図１を参照して、本実施形態のコピー機１の動作について、簡単に説明する。
ここでは、用紙Ｔを内部側集積部５１０に排紙するように設定した場合におけるコピー機１の動作について説明する。
ここで、本実施形態においては、Ａ３サイズ縦の用紙Ｔについて、図６Ａから図６Ｇにより、押さえ部材２００の作用について説明しながら、コピー機１の動作について説明する。
【０１０１】
図６Ａは、片面印刷の動作を説明する図であって、用紙Ｔが排出方向Ｄ１に搬送され始めた状態を示す図である。図６Ｂは、片面印刷の動作を説明する図であって、用紙Ｔが凸部５２２に沿うように搬送されている状態を示す図である。図６Ｃは、片面印刷の動作を説明する図であって、用紙Ｔが腰のある状態で押さえ部材２００に当接した状態を示す図である。図６Ｄは、片面印刷の動作を説明する図であって、用紙Ｔの先端が押さえ部材２００の先端部２０２側に移動された状態を示す図である。図６Ｅは、片面印刷の動作を説明する図であって、用紙Ｔが押さえ部材２００を回動させた状態を示す図である。図６Ｆは、片面印刷の動作を説明する図であって、用紙Ｔが押さえ部材２００の先端部２０２に当接した状態で排出方向Ｄ１に搬送されている状態を示す図である。図６Ｇは、片面印刷の動作を説明する図であって、片面印刷が完了した用紙Ｔが積載面部５２０に積載された状態を示す図である。
【０１０２】
まず、給紙カセット５２に収容されたＡ３サイズ縦の用紙Ｔに片面印刷を行う場合について説明する。
給紙カセット５２に収容されたＡ３サイズ縦の用紙Ｔは、前送りコロ６１及び給紙ローラー対６３によって第１搬送路Ｌ１に送り出され、その後、第１合流部Ｐ１及び第１搬送路Ｌ１を介して、レジストローラー対８０に搬送される。
レジストローラー対８０においては、用紙Ｔのスキュー補正や、トナー画像とのタイミング調整が行われる。
【０１０３】
レジストローラー対８０から排出されたＡ３サイズ縦の用紙Ｔは、第１搬送路Ｌ１を介して中間転写ベルト７と２次転写ローラー８との間（２次転写ニップＮ２）に導入される。そして、用紙Ｔには、中間転写ベルト７と２次転写ローラー８との間において、トナー画像が転写される。
その後、Ａ３サイズ縦の用紙Ｔは、中間転写ベルト７と２次転写ローラー８との間から排出され、第２搬送路Ｌ２を介して、定着部９における加熱回転体９ａと加圧回転体９ｂとの間の定着ニップに導入される。そして、定着ニップにおいてトナーが溶融し、トナーが用紙Ｔに定着される。
【０１０４】
次いで、Ａ３サイズ縦の用紙Ｔは、第３搬送路Ｌ３を通して第１排紙部５０ａに搬送され、排出反転ローラー対５５により第１排紙部５０ａから内部側集積部５１０の積載空間部５４０に排出される。
【０１０５】
第１排紙部５０ａから排出された用紙Ｔの下面側は、図６Ａに示すように、積載面部５２０に積載された用紙Ｔの最上面に接触している。そして、第１排紙部５０ａから排出された用紙Ｔは、積載面部５２０に積載された用紙Ｔの最上面に接触しながら排出方向Ｄ１に搬送される。
【０１０６】
その後、積載空間部５４０に繰り出されたＡ３サイズ縦の用紙Ｔは、排出反転ローラー対５５により更に排出方向Ｄ１に搬送されて、図６Ｂに示すように、第１凸部５２３の第１上り傾斜面５２３Ａに沿うように、斜め上方に向けて搬送される。
そして、斜め上方に向けて搬送された用紙Ｔは、図６Ｃに示すように、腰のある状態で、押さえ部材２００の第１排紙部５０ａ側の面における先端部２０２よりも上方側の部分において、その先端が押さえ部材２００に突き当たる。
【０１０７】
押さえ部材２００に突き当たった用紙Ｔの先端は、用紙Ｔが排出方向Ｄ１に移動されることで、図６Ｄに示すように、押さえ部材２００の第１排紙部５０ａ側の面に沿って、押さえ部材２００の先端部２０２よりも上方側から先端部２０２側に移動する。搬送される用紙Ｔの先端側は、上方側が凸となるように湾曲している。
【０１０８】
搬送される用紙Ｔは、更に排出反転ローラー対５５に搬送されて、図６Ｅに示すように、押さえ部材２００の先端部２０２における第１排紙部５０ａ側の面を押して、押さえ部材２００の先端部２０２が排出方向Ｄ１と反対側（排出方向Ｄ１の下流側）に移動するように、押さえ部材２００を回動させる。
【０１０９】
その後、更に排出方向Ｄ１に搬送される用紙Ｔは、押さえ部材２００の下に入り込んで、積載面部５２０に積載された最上部の用紙Ｔと押さえ部材２００との間を通る。排出方向Ｄ１に搬送される用紙Ｔは、図６Ｆに示すように、その上面が押さえ部材２００の先端部２０２に当接した状態で、排出方向Ｄ１に搬送される。
【０１１０】
このように、Ａ３サイズ縦の用紙Ｔは、積載面部５２０と押さえ部材２００との間を通り、排出方向Ｄ１に搬送される。ここで、押さえ部材２００の先端部２０２は、第１凸部５２３の近傍において、用紙Ｔの上面に当接している。そのため、排出方向Ｄ１に搬送されるＡ３サイズ縦の用紙Ｔを、積載面部５２０に第１凸部５２３がなかった場合よりも、用紙Ｔを第１凸部５２３に沿うように変形させることができる。
【０１１１】
特に、第１凸部５２３の上流側において第１上り傾斜面５２３Ａにより斜め上方に向けて搬送される用紙Ｔを、第１凸部５２３の下流側において押さえ部材２００に当接させることにより、第１凸部５２３の下流側において第１下り傾斜面５２３Ｂ側に沿うように寄せている。これにより、積載面部５２０に積載された用紙Ｔを、凸部５２２に一層沿うように変形させることができる。
【０１１２】
その後、Ａ３サイズ縦の用紙Ｔは、排出反転ローラー対５５により排出方向Ｄ１に搬送される。そして、Ａ３サイズ縦の用紙Ｔの先端は、積載面部５２０の排出方向Ｄ１の下流側の端部において、第２凸部５２４の第２上り傾斜面５２４Ａに沿うように、斜め上方に向けて搬送される。
【０１１３】
その後、図６Ｇに示すように、片面印刷が施されたＡ３サイズ縦の用紙Ｔは、積載面部５２０における排出方向Ｄ１の所定位置に積載される。このようにして、給紙カセット５２に収容された用紙Ｔの片面印刷が完了する。
【０１１４】
片面印刷が施されたＡ３サイズ縦の用紙Ｔが積載面部５２０に積載された状態において、用紙Ｔは、排出方向Ｄ１における第１凸部５２３の近傍において上方に凸となる湾曲形状に変形されると共に、第２凸部５２４の近傍において斜め上方に向けて傾くように変形されている。従って、用紙Ｔを上下方向に変形させることにより、積載面部５２０における排出方向Ｄ１の長さを長くすることなく且つ積載空間部５４０における垂直方向Ｚの高さを大きくすることなく、最大サイズの用紙ＴであるＡ３サイズ縦の用紙Ｔを積載可能な積載面部５２０を構成することができる。その結果、装置の大型化を抑制することができる。
また、第２凸部５２４が端部側に形成されるため、用紙Ｔの先端側を安定した状態で斜め上方に向けて傾くように変形させることができる。
【０１１５】
手差しトレイ６５に載置された用紙Ｔに片面印刷を行う場合には、手差しトレイ６５に載置された用紙Ｔは、給紙コロ６６によって手差し搬送路Ｌａに送り出され、その後、第１合流部Ｐ１及び第１搬送路Ｌ１を介して、レジストローラー対８０に搬送される。それ以降の動作は、前述した、給紙カセット５２に収容された用紙Ｔの片面印刷の動作と同様であり、説明を省略する。
【０１１６】
次に、両面印刷を行う場合のコピー機１の動作について説明する。
片面印刷の場合には、前述した通り、片面印刷がされた用紙Ｔが、第１排紙部５０ａから内部側集積部５１０に排出されて印刷動作が完了する。
これに対し、両面印刷を行う場合には、片面印刷がされた用紙Ｔが、排出反転ローラー対５５により反転されて、戻り搬送路Ｌｂを介して、片面印刷時とは表裏反転して、レジストローラー対８０に再度搬送されることにより、用紙Ｔに両面印刷が施される。
【０１１７】
詳述すると、片面印刷がされた用紙Ｔが第３搬送路Ｌ３を通して第１排紙部５０ａに搬送されるまでは、前述した片面印刷の動作と同様である。
両面印刷時においては、一方の面に印刷されたＡ３サイズ縦の用紙Ｔは、第１排紙部５０ａに搬送され、排出反転ローラー対５５により第１排紙部５０ａから内部側集積部５１０の積載空間部５４０に一部が繰り出された後に反転される。
【０１１８】
本実施形態においては、Ａ３サイズ縦の用紙Ｔが積載空間部５４０に一部繰り出されて反転される際に、Ａ３サイズ縦の用紙Ｔの先端は、押さえ部材２００まで達するようになっている。そのため、排出方向Ｄ１に搬送される用紙Ｔは、前述の片面印刷時の動作と同様に、積載面部５２０に積載された最上部の用紙Ｔと押さえ部材２００との間を通り、その上面が押さえ部材２００の先端部２０２に当接した状態で、排出方向Ｄ１に搬送される。両面印刷におけるここまで動作は、片面印刷時の動作と同様であり、詳細な説明は省略する。
【０１１９】
そして、Ａ３サイズ縦の用紙Ｔは、積載面部５２０に積載された用紙Ｔと押さえ部材２００との間を通って排出方向Ｄ１に所定距離だけ進んだときに、搬送方向が戻し方向Ｄ２に切り換えられる。
【０１２０】
これにより、排出反転ローラー対５５に保持されているＡ３サイズ縦の用紙Ｔは、排出反転ローラー対５５により戻し方向Ｄ２に搬送される。
【０１２１】
その後、戻し方向Ｄ２に搬送されたＡ３サイズ縦の用紙Ｔは、第３搬送路Ｌ３を逆方向（第１排紙部５０ａから第１分岐部Ｑ１に向かう方向）に搬送される。
【０１２２】
そして、Ａ３サイズ縦の用紙Ｔが、第３搬送路Ｌ３を逆方向に搬送されると、分岐部材５８により、用紙Ｔは、戻し搬送路Ｌｂへ分岐され、その後、第２合流部Ｐ２を介して、第１搬送路Ｌ１に合流する。ここで、用紙Ｔは、片面印刷時とは表裏反転している。
【０１２３】
更に、用紙Ｔは、レジストローラー対８０により前記補正又は前記調整が行われ、第１搬送路Ｌ１を介して、中間転写ベルト７と２次転写ローラー８との間に導入される。用紙Ｔは、戻し搬送路Ｌｂを経由することにより、未印刷面が中間転写ベルト７に対向するので、未印刷面にトナー画像が転写され、その結果、両面印刷が施される。
その後、両面印刷がされた用紙Ｔが、第１排紙部５０ａから内部側集積部５１０に排出されて印刷動作が完了する。
【０１２４】
第１実施形態によれば、例えば、次の効果が奏される。
第１本実施形態のコピー機１においては、画像形成部ＧＫにより画像が形成された用紙Ｔを排出する第１排紙部５０ａと、第１排紙部５０ａから排出された用紙Ｔが積層して配置される内部側集積部５１０であって、平面状に形成される平面部５２１と、平面部５２１から上方側に突出するように形成される第１凸部５２３と、を有して構成される用紙Ｔが積載される積載面部５２０を有する内部側集積部５１０と、積載面部５２０に積載された用紙Ｔの上面に当接して配置される押さえ部材２００と、を備える。
【０１２５】
そのため、積載面部５２０に積載される用紙Ｔを、第１凸部５２３に沿うように上下方向に変形させることができる。これにより、積載面部５２０における排出方向Ｄ１の長さを長くすることなく且つ積載空間部５４０における垂直方向（上下方向）Ｚの高さを大きくすることなく、排出方向Ｄ１に長い用紙Ｔを積載面部５２０に積載することができる。従って、装置の大型化を抑制することができる。そして、装置の小型化及び省スペース化を実現することができる。
【０１２６】
また、本実施形態のコピー機１においては、内部側集積部５１０は、排出方向Ｄ１において積載面部５２０に積載される用紙Ｔの先端と対向して配置される規制壁５５０であって積載面部５２０に積載される用紙Ｔにおける排出方向Ｄ１への移動を規制する規制壁５５０を有しており、仮想平面（積載面部５２０における第１凸部５２３、第２凸部５２４及び第３凸部５２５がなかったときの平面）の第１排紙部５０ａ側の端部から規制壁５５０までの排出方向Ｄ１の長さは、用紙Ｔにおける排出方向Ｄ１の長さ未満であり、第１凸部５２３を含む積載面部５２０における第１排紙部５０ａ側の端部から規制壁までの排出方向Ｄ１の表面に沿う長さは、用紙Ｔにおける排出方向Ｄ１の長さ以上である。
【０１２７】
そのため、積載面部５２０における仮想平面の排出方向Ｄ１の長さが最大サイズの用紙Ｔよりも短い場合であっても、第１凸部５２３により用紙Ｔを上下方向に変形させることにより、最大サイズの用紙Ｔを積載面部５２０に積載することができる。これにより、装置の大型化を抑制して、最大サイズの用紙Ｔを積載面部５２０に積載することができる。
【０１２８】
また、本実施形態のコピー機１においては、押さえ部材２００は、第１凸部５２３の近傍において積載面部５２０に積載された用紙Ｔの上面に当接して配置される。そのため、押さえ部材２００は、押さえ部材２００が積載面部５２０に積載された用紙Ｔの上面に当接しない状態に比べて、積載面部５２０に積載された用紙Ｔを第１凸部５２３に沿うように変形させた状態で、積載面部５２０に積載された用紙Ｔの上面に当接して配置される。これにより、積載面部５２０に積載された用紙Ｔを第１凸部５２３に一層沿うように変形させることができる。従って、装置の大型化を一層抑制することができる。
また、押さえ部材２００が第１凸部５２３の近傍において用紙Ｔの上面に当接するように構成されるため、用紙Ｔの剛性が高い場合であっても、用紙Ｔを第１凸部５２３に沿うように変形させることができる。
【０１２９】
また、本実施形態のコピー機１においては、押さえ部材２００は、凸部５２２よりも排出方向Ｄ１の下流側において、積載面部５２０に積載された用紙Ｔの上面に当接して配置される。そのため、第１凸部５２３の上流側において第１上り傾斜面５２３Ａにより斜め上方に向けて搬送される用紙Ｔを、第１凸部５２３の下流側において第１下り傾斜面５２３Ｂ側に沿うように寄せている。これにより、積載面部５２０に積載された用紙Ｔを凸部５２２に一層沿うように変形させることができる。
【０１３０】
また、本実施形態のコピー機１においては、積載面部５２０は、内部側集積部５１０における垂直方向Ｚの下部に配置されており、内部側集積部５１０は、積載面部５２０と垂直方向Ｚにおいて対向して配置される積載天面部５３０と、積載面部５２０と積載天面部５３０との間の積載空間部５４０と、を更に有しており、押さえ部材２００は、積載天面部５３０に基端部２０１が回動可能に取り付けられ、先端部２０２が自由端として積載面部５２０に積載された用紙Ｔの上面に当接して配置され、積載面部５２０に積載されるように移動する用紙Ｔにおける移動を先端部２０２が第１排紙部５０ａと反対側に移動するように回動して許可して、移動が許可された用紙Ｔの上面に当接して移動が許可された用紙Ｔを変形させる。
【０１３１】
そのため、押さえ部材２００は、その回動により、用紙Ｔの排出方向Ｄ１への移動を許可すると共に、その移動を許可した用紙Ｔの上面に当接する。これにより、押さえ部材２００は、第１排紙部５０ａから排出された用紙Ｔが積載面部５２０に積載される動作を妨げることなく、用紙Ｔの上面に当接して用紙Ｔを第１凸部５２３に沿うように変形させることができる。
【０１３２】
また、本実施形態のコピー機１においては、ケース部材ＢＤの上部側に配置される画像読取部３０１を更に備え、積載天面部５３０は、画像読取部３０１の下部により構成される。そのため、押さえ部材２００を画像読取部３０１の下部に取り付けることができる。これにより、押さえ部材２００を積載空間部５４０に容易に配置させて、押さえ部材２００の先端部２０２を積載面部５２０に積載された用紙Ｔの上面に容易に当接させることができる。従って、押さえ部材２００を配置する構成を簡易な構成により実現することができる。
【０１３３】
また、積載空間部５４０は、垂直方向Ｚにおいて限られた空間である。そのため、積載面部５２０の全体が平面状に形成され且つ傾斜する傾斜平面により構成して積載面部５２０の排出方向Ｄ１の表面に沿う長さを確保することは、装置の垂直方向Ｚへの大型化につながる。しかし、本発明においては、積載空間部５４０が垂直方向Ｚにおいて限られた空間であっても、第１凸部５２３により用紙Ｔを上下方向に変形することができるため、装置の大型化を抑制することができる。
【０１３４】
次に、本発明の画像形成装置１の他の実施形態としての第２実施形態について、図面を参照しながら説明する。なお、第２実施形態の説明にあたって、第１実施形態と同一の構成要件については同一の符号を付し、その説明を省略又は簡略化する。
【０１３５】
図７は、第２実施形態における押さえ部材２００Ａの構成を示す斜視図である。第２実施形態のコピー機１は、第１実施形態と比べて、主として、押さえ部材２００Ａの先端部２０２Ａの構成が異なる。
【０１３６】
図７に示すように、第２実施形態における押さえ部材２００Ａの先端部２０２Ａにおける用紙Ｔの上面に当接する部分は、回転部材としての筒状のコロ部材２０６により構成される。コロ部材２０６は、先端部２０２Ａに設けられた用紙幅方向Ｗに延びる回転軸を中心に回転する。これにより、コロ部材２０６は、搬送される用紙Ｔの上面に当接した状態で回転する。先端部２０２Ａにコロ部材２０６が設けられることにより、押さえ部材２００Ａの先端部２０２Ａは、用紙Ｔとの間の摩擦抵抗が低減された状態で、用紙Ｔの上面に当接する。
【０１３７】
第２実施形態のコピー機１によれば、第１実施形態と同様の効果を奏する他、以下のような効果が奏される。
第２実施形態においては、押さえ部材２００Ａの先端部２０２Ａにおける用紙Ｔの上面に当接する部分は、コロ部材２０６により構成される。そのため、コロ部材２０６が搬送される用紙Ｔの上面に当接して回転するため、押さえ部材２００Ａの先端部２０２Ａ（コロ部材２０６）と用紙Ｔとの間の摩擦抵抗が低減される。これにより、用紙Ｔを積載面部５２０に積載する際において、排出反転ローラー対５５に用紙Ｔの後端が残ることを抑制することができる。また、両面印刷の反転時における用紙Ｔが押さえ部材２００Ａの先端部２０２Ａに当接した状態で戻し方向Ｄ２に搬送される際において、用紙Ｔが押さえ部材２００Ａに引っ掛かることを抑制することができる。
【０１３８】
次に、本発明の画像形成装置１の他の実施形態としての第３実施形態について、図面を参照しながら説明する。なお、第３実施形態の説明にあたって、第１実施形態と同一の構成要件については同一の符号を付し、その説明を省略又は簡略化する。
【０１３９】
図８は、第３実施形態における押さえ部材２００Ｂの構成を示す斜視図である。第３実施形態のコピー機１は、第１実施形態及び第２実施形態と比べて、主として、押さえ部材２００Ｂの先端部２０２Ｂの構成が異なる。
【０１４０】
図８に示すように、第３実施形態における押さえ部材２００Ｂの先端部２０２Ｂにおける用紙Ｔの上面に当接する部分は、摩擦係数が低いシート部材２０７により構成される。これにより、押さえ部材２００Ｂの先端部２０２Ｂは、用紙Ｔとの間の摩擦抵抗が低減された状態で、用紙Ｔの上面に当接する。
【０１４１】
第３実施形態のコピー機１によれば、第２実施形態と同様の効果を奏する。
具体的には、押さえ部材２００Ｂの先端部２０２Ｂにおける用紙Ｔの上面に当接する部分は、シート部材２０７により構成される。そのため、第２実施形態と同様に、押さえ部材２００Ｂの先端部２０２Ｂ（シート部材２０７）と用紙Ｔとの間の摩擦抵抗が低減される。これにより、第２実施形態と同様に、用紙Ｔを積載面部５２０に積載する際において、排出反転ローラー対５５に用紙Ｔの後端が残ることを抑制することができる。また、両面印刷の反転時における用紙Ｔが押さえ部材２００Ｂの先端部２０２Ｂに当接した状態で戻し方向Ｄ２に搬送される際において、用紙Ｔが押さえ部材２００Ｂに引っ掛かることを抑制することができる。
【０１４２】
次に、本発明の画像形成装置１の他の実施形態としての第４実施形態について、図面を参照しながら説明する。なお、第４実施形態の説明にあたって、第１実施形態及び第２実施形態と同一の構成要件については同一の符号を付し、その説明を省略又は簡略化する。
【０１４３】
図９は、第４実施形態における内部側集積部５１０Ａ及び押さえ部材２００Ａの周辺の構成を示す側面図である。図１０は、第４実施形態における積載面部５２０Ａの構成を用紙Ｔが積載された状態で示す斜視図である。図１１は、第４実施形態における積載面部５２０Ａの構成を用紙Ｔが積載されていない状態で示す斜視図である。
【０１４４】
第４実施形態のコピー機１は、積載面部５２０において、凸部５２２を有さない点、及び、凹部５２７を有する点において、第１実施形態のコピー機１とは主に異なる。また、第４実施形態のコピー機１は、先端部２０２における当接する部分は、第２実施形態におけるコロ部材２０６により構成されている。
【０１４５】
図９から図１１に示すように、第４実施形態における積載面部５２０Ａは、平面部５２１と、複数の凹部５２７とを有して構成される。平面部５２１は、水平面状に形成される。複数の凹部５２７は、平面部５２１から垂直方向Ｚの下方側に窪むように形成される。複数の凹部５２７は、用紙幅方向Ｗに視た場合において、底部を有する谷のような形状に形成される。
【０１４６】
複数の凹部５２７は、１つの第１凹部５２８と、１つの第２凹部５２９とにより構成される。１つの第１凹部５２８は、積載面部５２０における排出方向Ｄ１の上流側に形成される。１つの第２凹部５２９は、積載面部５２０における排出方向Ｄ１の下流側に形成される。
【０１４７】
第１凹部５２８及び第２凹部５２９は、排出方向Ｄ１における位置が異なるのみで、同一の形状を有している。第１凹部５２８及び第２凹部５２９は、用紙幅方向Ｗの全域にわたって延びるように形成されている。
【０１４８】
第１凹部５２８は、積載面部５２０における排出方向Ｄ１の中央よりも上流側において、用紙幅方向Ｗの全域にわたって形成される。第１凹部５２８は、排出方向Ｄ１の上流側から下流側に向かって順に、第１上流側傾斜面５２８Ａと、第１底面５２８Ｂと、第１下流側傾斜面５２８Ｃと、が排出方向Ｄ１に連続することにより形成される。
【０１４９】
第１底面５２８Ｂは、第１凹部５２８における最も窪んだ位置に形成される水平面状の底面である。第１上流側傾斜面５２８Ａは、排出方向Ｄ１の上流側から下流側に向かうにしたがって下方に向かって傾斜する傾斜面である。第１下流側傾斜面５２８Ｃは、排出方向Ｄ１の上流側から下流側に向かうにしたがって上方に向かって傾斜する傾斜面である。
【０１５０】
第２凹部５２９は、積載面部５２０における排出方向Ｄ１の下流側の端部側において、用紙幅方向Ｗの全域にわたって形成される。第２凹部５２９は、排出方向Ｄ１の上流側から下流側に向かって順に、第２上流側傾斜面５２９Ａと、第２底面５２９Ｂと、第２下流側傾斜面５２９Ｃと、が排出方向Ｄ１に連続することにより形成される。
【０１５１】
第２底面５２９Ｂは、第２凹部５２９における最も窪んだ位置に形成される水平面状の底面である。第２上流側傾斜面５２９Ａは、排出方向Ｄ１の上流側から下流側に向かうにしたがって下方に向かって傾斜する傾斜面である。第２下流側傾斜面５２９Ｃは、排出方向Ｄ１の上流側から下流側に向かうにしたがって上方に向かって傾斜する傾斜面である。
【０１５２】
押さえ部材２００Ａのコロ部材２０６は、第１凹部５２８の第１底面５２８Ｂに対向するように配置される。また、コロ部材２０６は、積載面部５２０に積載された用紙Ｔにおける第１底面５２８Ｂに対応する部分の上面に当接して配置される。
【０１５３】
第４実施形態のコピー機１においては、前述の第１実施形態及び第２実施形態と同様の効果を奏する。
具体的には、押さえ部材２００Ａの先端部２０２Ａのコロ部材２０６は、積載面部５２０に積載された用紙Ｔにおける第１凹部５２８に対応する部分の上面に当接する。そのため、積載面部５２０に積載された用紙Ｔを第１凹部５２８に沿うように変形させることができる。これにより、積載面部５２０に積載された用紙Ｔを垂直方向Ｚに変形させることができる。これにより、コピー機１における装置の大型化を抑制することができる。
【０１５４】
以上、好適な実施形態について説明したが、本発明は前述した実施形態に限定されることなく種々の形態で実施することができる。
例えば、前述の第１実施形態においては、積載面部５２０が凸部５２２を有して構成されている。また、第４実施形態においては、積載面部５２０が凹部５２７を有して構成されている。しかし、これに制限されず、積載面部５２０は、凸部５２２及び凹部５２７の両方を同時に有する構成であってもよい。
【０１５５】
また、前述の実施形態においては、複数の凸部５２２又は複数の凹部５２７を有していたが、これに制限されない。例えば、１つの凸部５２２のみであってもよいし、１つの凹部５２７のみであってもよい。
【０１５６】
また、前述の第１実施形態においては、押さえ部材２００は、凸部５２２よりも排出方向Ｄ１の下流側において、用紙Ｔの上面に当接して配置されているが、これに制限されない。押さえ部材２００は、凸部５２２よりも排出方向Ｄ１の上流側又は凸部５２２に対応する部分において、用紙Ｔの上面に当接して配置されていてもよい。
【０１５７】
また、前述の実施形態では、押さえ部材２００を平面状に形成したが、これに制限されない。押さえ部材２００を曲面状に形成してもよい。
【０１５８】
また、前述の実施形態では、積載面部５２０の平面部５２１を水平面状に形成したが、これに制限されず、傾斜した平面状に形成されていてもよい。
【０１５９】
なお、本発明の画像形成装置の種類は、特に限定がなく、コピー機、プリンター、ファクシミリ、又はこれらの複合機等であってもよい。
また、シート材は、用紙に制限されず、例えば、フィルムシートであってもよい。
【符号の説明】
【０１６０】
１……コピー機（画像形成装置）、５０ａ……第１排紙部（排出部）、２００……押さえ部材、２０１……基端部（一端部）、２０２……先端部（他端部）、２０６……コロ部材（回転部材）、２０７……シート部材（摩擦係数が低い部材）、３０１……画像読取部、５１０……内部側集積部（積載部）、５２０……積載面部、５２１……平面部、５２３……第１凸部（凸部）、５２８……第１凹部（凹部）、５３０……積載天面部（上面部）、５４０……積載空間部、５５０……規制部（規制壁）、ＢＤ……ケース部材（筐体）、Ｄ１……排出方向、ＧＫ……画像形成部、Ｔ……用紙（シート材）
【図１】
0005378438.tif 000002
【図２】
0005378438.tif 000003
【図３】
0005378438.tif 000004
【図４】
0005378438.tif 000005
【図５】
0005378438.tif 000006
【図６Ａ】
0005378438.tif 000007
【図６Ｂ】
0005378438.tif 000008
【図６Ｃ】
0005378438.tif 000009
【図６Ｄ】
0005378438.tif 000010
【図６Ｅ】
0005378438.tif 000011
【図６Ｆ】
0005378438.tif 000012
【図６Ｇ】
0005378438.tif 000013
【図７】
0005378438.tif 000014
【図８】
0005378438.tif 000015
【図９】
0005378438.tif 000016
【図１０】
0005378438.tif 000017
【図１１】
0005378438.tif 000018